【手続補正書】
【提出日】平成20年3月26日(2008.3.26)
【手続補正１】
【補正対象書類名】明細書
【補正対象項目名】特許請求の範囲
【補正方法】変更
【補正の内容】
【特許請求の範囲】
【請求項１】  所定のトラックピッチで形成されたグルーブ及びランドと、スポット光により前記グルーブが走査される方向に沿って所定間隔で前記ランドに形成されたランドプリピットとを有し、情報記録又は情報再生の際に前記グルーブに位置合わせして照射される前記スポット光により前記グルーブと共に前記ランドプリピットが走査される記録再生媒体において、
前記各々のランドプリピットは、前記グルーブと共に前記ランドプリピットが走査される際に生成されるランドプリピット検出信号の電圧振幅に対するＲＦ信号のオフセットレベルの比率を１０以上にすることを設計条件として形成されていること、
を特徴とする記録再生媒体。
【請求項２】  前記ランドプリピットは、前記ランドプリピット検出信号の電圧振幅に対する前記ＲＦ信号のオフセットレベルの比率を最大にすることを更に設計条件として形成されていること、
を特徴とする請求項１に記載の記録再生媒体。
【請求項３】  前記設計条件は、前記スポット光によって走査される方向における前記ランドプリピットのプリピット長と、前記グルーブのグルーブ深さ及びグルーブ幅とに基づいて設定されること、
を特徴とする請求項１に記載の記録再生媒体。
【請求項４】  前記ランドプリピットは、前記走査の際に前記スポット光が前記グルーブ及び前記ランドプリピットに照射されて生成される前記ＲＦ信号の振幅と前記スポット光が前記グルーブに照射され前記ランドプリピットには照射されないで生成される前記ＲＦ信号の振幅との振幅変化を最小にすることを更に設計条件として形成されていること、
を特徴とする請求項１に記載の記録再生媒体。
【請求項５】  前記記録再生媒体は、ＤＶＤ-Ｒ又はＤＶＤ-ＲＷであること、
を特徴とする請求項４に記載の記録再生媒体。
【請求項６】  前記設計条件は、前記スポット光によって走査される方向における前記各々のランドプリピットのプリピット長と前記グルーブのグルーブ深さ及びグルーブ幅とに基づいて設定されること、
を特徴とする請求項４に記載の記録再生媒体。
【請求項７】  前記スポット光は、開口数ＮＡの対物レンズで収束されて前記グルーブに位置合わせされて照射される所定波長λの光であり、
前記各々のランドプリピットは、前記グルーブのグルーブ幅をＧw、前記スポット光によって走査される方向における前記各々のランドプリピットのプリピット長をＬpとし、
Ｇw／（λ／ＮＡ）＝0.2093｛Ｌp／（λ／ＮＡ）｝2−0.4342Ｌp／（λ／ＮＡ）+0.332
の関係を満たす設計条件に基づいて形成されること、
を特徴とする請求項１に記載の記録再生媒体。
【請求項８】  前記スポット光は、開口数ＮＡの対物レンズで収束されて前記グルーブに位置合わせされて照射される所定波長λの光であり、
前記各々のランドプリピットは、前記グルーブのグルーブ幅をＧw、前記スポット光によって走査される方向における前記各々のランドプリピットのプリピット長をＬp、前記グルーブと前記ランドとの厚み方向のグルーブ深さをＧとし、
Ｇw／（λ／ＮＡ）≧0.2093｛Ｌp／（λ／ＮＡ）｝2−0.4342Ｌp／（λ／ＮＡ）+0.332−（−2.64Ｇd＋0.1276）
且つ、
Ｇw／（λ／ＮＡ）≦0.2093｛Ｌp／（λ／ＮＡ）｝2−0.4342Ｌp／（λ／ＮＡ）+0.332＋（−4.48Ｇd＋0.2112）
の関係を満たす設計条件に基づいて形成されること、
を特徴とする請求項１に記載の記録再生媒体。
【請求項９】  前記記録再生媒体は、前記スポット光によって前記グルーブに情報を記録又は情報を再記録させる光ディスクであること、
を特徴とする請求項７又は８に記載の記録再生媒体。
【請求項１０】  所定のトラックピッチで形成されたグルーブ及びランドと、スポット光により前記グルーブの走査される方向に沿って所定間隔で前記ランドに形成されたランドプリピットとを有する記録再生媒体に対して、情報記録又は情報再生を行う記録再生装置において、
前記グルーブに位置合わせして前記スポット光を照射して走査する第１の手段と、
前記スポット光の照射により生じる反射光を検出して、ＲＦ信号とランドプリピット検出信号とを生成する第２の手段とを備え、
前記各々のランドプリピットは、前記グルーブと共に前記ランドプリピットが走査される際に生成される前記ランドプリピット検出信号の電圧振幅に対する前記ＲＦ信号のオフセットレベルの比率を１０以上とする設計条件に基づいて形成されていること、
を特徴とする記録再生装置。
【請求項１１】  前記第１の手段は、前記グルーブのグルーブ幅より大きい直径の前記光スポットを前記グルーブに位置合わせして照射すること、
を特徴とする請求項１０に記載の記録再生装置。
【請求項１２】  前記各々のランドプリピットは、前記走査の際に前記スポット光が前記グルーブ及び前記ランドプリピットに照射されて生成される前記ＲＦ信号の振幅と前記スポット光が前記グルーブに照射され前記ランドプリピットには照射されないで生成される前記ＲＦ信号の振幅との振幅変化を最小にすることを更に設計条件として形成されていること、
を特徴とする請求項１０に記載の記録再生装置。
【請求項１３】  前記第１の手段は、前記グルーブのグルーブ幅より大きい直径の前記光スポットを前記グルーブに位置合わせして照射すること、
を特徴とする請求項１０に記載の記録再生装置。
【請求項１４】  前記第１の手段は、所定波長λの光を射出する光源と、前記光源からの光を収束して走査する所定開口数ＮＡの対物レンズとを有し、
前記波長λと開口数ＮＡは、前記記録再生媒体のグルーブのグルーブ幅Ｇwと、前記ランドプリピットのプリピット長Ｌpに対して、
Ｇw／（λ／ＮＡ）＝0.2093｛Ｌp／（λ／ＮＡ）｝2−0.4342Ｌp／（λ／ＮＡ）+0.332
の関係に基づいて設定されていること、
を特徴とする請求項１０に記載の記録再生装置。
【請求項１５】  前記第１の手段は、所定波長λの光を射出する光源と、前記光源からの光を収束して走査する所定開口数ＮＡの対物レンズとを有し、
前記波長λと開口数ＮＡは、前記記録再生媒体のグルーブのグルーブ幅Ｇwと、前記ランドプリピットのプリピット長Ｌpと、前記グルーブと前記ランドとの厚み方向のグルーブ深さＧdに対して、
Ｇw／（λ／ＮＡ）≧0.2093｛Ｌp／（λ／ＮＡ）｝2−0.4342Ｌp／（λ／ＮＡ）+0.332−（−2.64Ｇd＋0.1276）
且つ、
Ｇw／（λ／ＮＡ）≦0.2093｛Ｌp／（λ／ＮＡ）｝2−0.4342Ｌp／（λ／ＮＡ）+0.332＋（−4.48Ｇd＋0.2112）
の関係に条件に基づいて設定されていること、
を特徴とする請求項１０に記載の記録再生装置。
【請求項１６】  前記記録再生媒体は、前記スポット光によって前記グルーブに情報を記録又は情報を再記録させる光ディスクであること、
を特徴とする請求項１４又は１５に記載の記録再生装置。
【手続補正２】
【補正対象書類名】明細書
【補正対象項目名】００１３
【補正方法】変更
【補正の内容】
【００１３】
【課題を解決するための手段】
請求項１に記載の発明は、所定のトラックピッチで形成されたグルーブ及びランドと、スポット光により前記グルーブが走査される方向に沿って所定間隔で前記ランドに形成されたランドプリピットとを有し、情報記録又は情報再生の際に前記グルーブに位置合わせして照射される前記スポット光により前記グルーブと共に前記ランドプリピットが走査される記録再生媒体において、前記各々のランドプリピットは、前記グルーブと共に前記ランドプリピットが走査される際に生成されるランドプリピット検出信号の電圧振幅に対するＲＦ信号のオフセットレベルの比率を１０以上にすることを設計条件として形成されていること、を特徴とする。
【手続補正３】
【補正対象書類名】明細書
【補正対象項目名】００１４
【補正方法】変更
【補正の内容】
【００１４】
請求項１０に記載の発明は、所定のトラックピッチで形成されたグルーブ及びランドと、スポット光により前記グルーブの走査される方向に沿って所定間隔で前記ランドに形成されたランドプリピットとを有する記録再生媒体に対して、情報記録又は情報再生を行う記録再生装置において、前記グルーブに位置合わせして前記スポット光を照射して走査する第１の手段と、前記スポット光の照射により生じる反射光を検出して、ＲＦ信号とランドプリピット検出信号とを生成する第２の手段とを備え、前記各々のランドプリピットは、前記グルーブと共に前記ランドプリピットが走査される際に生成される前記ランドプリピット検出信号の電圧振幅に対する前記ＲＦ信号のオフセットレベルの比率を１０以上とする設計条件に基づいて形成されていること、を特徴とする。
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】